(57)【特許請求の範囲】
【請求項１】
点光源と、前記点光源から出射された光が入射される導光板とを備え、
前記点光源は、前記導光板の一方の端面に近接して配置され、
前記導光板は、前記一方の端面から入射した前記光を、前記一方の端面および前記一方の端面に対向する他方の端面に対し略直交する出光面から面状に出射させるようにした面光源装置において、
前記導光板内の前記一方の端面近傍に光拡散面が設けられ、
前記光拡散面は、前記出光面に垂直な方向に形成され、かつ前記一方の端面に臨む凹面である２つの円弧面が、前記点光源の中心位置で連結して構成されていることを特徴とする面光源装置。
【請求項２】
光拡散面は、一方の端面から導光板に入射した光を、前記一方の端面の方向に全反射し、前記一方の端面で前記導光板内の方向に全反射する形状であることを特徴とする請求項１に記載の面光源装置。
【請求項３】
一方の端面を覆って配置される反射板を備え、
光拡散面は、前記一方の端面から入射した光を前記反射板へ向かって反射する形状であることを特徴とする請求項１に記載の面光源装置。
【請求項４】
光拡散面は、出光面およびこの出光面と対向する反出光面から所定の深さを有してそれぞれ設けられていることを特徴とする請求項１ないし３のいずれか一項に面光源装置。
【請求項５】
複数の光拡散面を備え、隣り合う前記光拡散面の端部同士が連結されていることを特徴とする請求項４に記載の面光源装置。
【請求項６】
光拡散面は、一方の端面から遠ざかるように深さ方向へ傾斜していることを特徴とする請求項５に記載の面光源装置。
【請求項７】
導光板の一方の端面近傍には出光面側へ突出する突出部が設けられ、前記突出部に光拡散面が設けられていることを特徴とする請求項５または６に記載の面光源装置。
【請求項８】
導光板の一方の端面に、光拡散面で反射された光を他方の端面の方向へ反射する反射面が設けられ、
前記反射面は、出光面に垂直な方向に形成され、前記光拡散面から遠ざかるように他方の端面の方向へ傾斜していることを特徴とする請求項２に記載の面光源装置。
【請求項９】
前記反射面は、曲面で形成されていることを特徴とする請求項８に記載の面光源装置。
【請求項１０】
請求項１ないし９のいずれか一項に記載の面光源装置を液晶パネルの背面側に備えた液晶表示装置。
【発明の詳細な説明】
【技術分野】
【０００１】
この発明は、面光源装置およびこの面光源装置を備えた液晶表示装置に関する。
【背景技術】
【０００２】
液晶表示装置等の非発光表示装置に用いられる面光源装置として、導光板と、この導光板の端面に沿って一列に配列された複数のＬＥＤ（発光ダイオード）とを備え、端面から入射された光が導光板の出光面から面状に出射されるものが知られている。
【０００３】
このような面光源装置においては、光源であるＬＥＤが指向性を有するため、導光板の出光面から出射される光に輝度ムラが生じてしまうという問題がある。このため従来の面光源装置においては、導光板の端面のＬＥＤと対向する部分を曲面に形成するとともに、この曲面の両側に階段状の傾斜面を形成し、導光板の上記曲面に対向する位置にその頂角が上記曲面と対向する三角柱状の孔を形成していた。この構成によれば、ＬＥＤから出射された光は上記曲面で平行化された後、上記三角柱状の孔で上記傾斜面に向かって反射され、この傾斜面で導光板の端面に垂直な方向に向かって反射されるので、導光板の端面に平行な方向の光の量が増加し輝度ムラが少なくなる（例えば、特許文献１参照）。
【先行技術文献】
【特許文献】
【０００４】
【特許文献１】特開２００４―１９２９３７号公報
【発明の概要】
【発明が解決しようとする課題】
【０００５】
上記の面光源装置において、三角柱状の孔や傾斜面が設けられた領域である導入部は発光領域として使用することができないデッドスペースであるため、近年では、この導入部を狭小化して発光領域を拡大することが要求されている。これに加えて、各ＬＥＤ間の間隔を広げてＬＥＤの使用個数を低減することも要求されており、これら２つの要求から導入部の幅に対するＬＥＤ間隔の比率を大きくすることが課題となっている。しかしながら、上記の従来技術では端面の形状が複雑であるので、導入部の幅に対するＬＥＤ間隔の比率を大きくすると輝度ムラが抑制できないという問題点があった。
【０００６】
この発明は、上述のような点に着目してなされたもので、輝度ムラの少ない面光源装置を得ることを目的とする。
【課題を解決するための手段】
【０００７】
この発明に係る面光源装置においては、点光源と、点光源から出射された光が入射される導光板とを備え、点光源は、導光板の一方の端面に近接して配置され、導光板は、一方の端面から入射した光を、一方の端面および一方の端面に対向する他方の端面に対し略直交する出光面から面状に出射させるようにした面光源装置において、導光板内の一方の端面近傍に光拡散面が設けられ、光拡散面は、出光面に垂直な方向に形成され、かつ一方の端面に臨む凹面である２つの円弧面が、点光源の中心位置で連結して構成されていることを特徴とするものである。
【発明の効果】
【０００８】
この発明に係る面光源装置得によれば、導光板の一方の端面近傍に、出光面に垂直な方向に形成され、かつ入光面を臨む凹面である２つの円弧面が点光源の中心位置で連結した形状の光拡散面を設けたことにより、導光板内に入射した光が拡散され、輝度ムラが少なくなる。
【図面の簡単な説明】
【０００９】
【図１】実施の形態１に係る面光源装置の斜視図を示す。
【図２】実施の形態１に係る面光源装置において導光板の入光面近傍の一部を示す上面図である。
【図３】実施の形態１に係る面光源装置において図２に示す導光板の光拡散面を拡大して示す上面図である。
【図４】図３のＡＡ線に沿って示す断面図である。
【図５】比較例の面光源装置において導光板の光拡散面を拡大して示す上面図である。
【図６】図５のＢＢ線に沿って示す断面図である。
【図７】実施の形態１に係る面光源装置の導光板内部の相対輝度分布を示す特性図である。
【図８】実施の形態２に係る面光源装置において導光板の光拡散面を拡大して示す上面図である。
【図９】図８のＤＤ線に沿って示す断面図である。
【図１０】実施の形態３に係る面光源装置において導光板の出光面側の光拡散面を拡大して示す上面図である。
【図１１】実施の形態３に係る面光源装置において導光板の反出光面側の光拡散面を拡大して示す上面図である。
【図１２】図１０および図１１のＥＥ線に沿って示す断面図である。
【図１３】実施の形態４に係る面光源装置の導光板の光拡散面を拡大して示す上面図である。
【図１４】実施の形態５に係る面光源装置の導光板の光拡散面を拡大して示す上面図である。
【図１５】実施の形態６に係る面光源装置の導光板の光拡散面を拡大して示す上面図である。
【図１６】実施の形態７に係る面光源装置の導光板の光拡散面を拡大して示す上面図である。
【図１７】実施の形態１に係る液晶表示装置の斜視図を示す。
【発明を実施するための形態】
【００１０】
実施の形態１．
図１ないしは図４は、実施の形態１に係る面光源装置を示すものであって、図１（ａ）は面光源装置を示す斜視図、図１（ｂ）は面光源装置の導光板を示す斜視図、図２は導光板の入光面近傍を示す上面図、図３は図２に示す導光板の光拡散面を拡大して示す上面図、図４は図３のＡＡ線に沿って示す断面図である。また、図５および図６は、比較例の面光源装置を示すものであって、図５は導光板の光拡散面を拡大して示す上面図、図６は図５のＢＢ線に沿って示す断面図である。また、図７は実施の形態１に係る面光源装置の導光板内部の相対輝度分布を示す特性図である。
【００１１】
面光源装置１００ａは、図１（ａ）および図１（ｂ）に示すように、点光源である３個のＬＥＤ１と、このＬＥＤ１から出射された光が入射される導光板２とを備えている。ＬＥＤ１は導光板２の一方の端面（以下、入光面２ｃと称する）に近接して配置されており、入光面２ｃから他方の端面（以下、反入光面２ｄと称する）に向かって入射するＬＥＤ１の光が入光面２ｃおよび反入光面２ｄに略直交する出光面２ａから面状に出射される。また、面光源装置１００ａは、出光面２ａの入光面２ｃ近傍、入光面２ｃおよび反出光面２ｂを覆うように配置された反射板３と、出光面２ａ上に配置され、導光板２からの光を均等に拡散する拡散板４とを備えている。さらに、面光源装置１００ａは、拡散板４上に配置され、拡散板４を通過した光を集めて方向を変える縦プリズムシート５と、縦プリズムシート５上に配置され、縦プリズムシート５を通過した光を集めて方向を変える横プリズムシート６とを備えている。
【００１２】
縦プリズムシート５は、ＬＥＤ１の並び方向に直行する方向に三角プリズムの溝が形成されており、横プリズムシート６は、ＬＥＤ１の並び方向に三角プリズムの溝が形成されている。
【００１３】
反射板３は、拡散反射の特性を有する白色ポリエステルフィルムミラーで構成されており、導光板２外部に取り出された光を反射して導光板２内部に戻す役割を有する。
【００１４】
導光板２は、屈折率が１．４９のポリメチルメタクリレート（ＰＭＭＡ）で形成されている。この導光板２の反出光面２ｂには、スクリーン印刷によってシボと呼ばれる半球凹状の反射ドット（図示せず）が形成されており、この反射ドットにより光が散乱されて出光面２ａから光が取り出され、拡散板４、縦プリズムシート５および横プリズムシート６を透過して、最適な配光角度で光が放射される。なお、反射ドットは、半球凸状でもよい。また、ここでは導光板２としてＰＭＭＡを用いているが、材料はこれに限らず、アクリル樹脂、ポリカーボネート樹脂（ＰＣ）、シクロオレフィン系材料などの高屈折率の透明樹脂を用いることができる。
【００１５】
導光板２の入光面２ｃ近傍の領域（以下、導入部２１と称する）には、図２に示すように、光拡散面２２ａが設けられている。光拡散面２２ａは、出光面２ａに垂直な方向に形成され、かつ入光面２ｃを臨む凹面である２つの円弧面が、ＬＥＤ１の中心位置で連結する形状である。光拡散面２２ａの各円弧面はそれぞれ半円弧状であり、その直径は各ＬＥＤ１間の距離の３分の１に形成されている。
【００１６】
光拡散面２２ａは、出光面２ａおよび反出光面２ｂから所定の深さを有してそれぞれ設けられた溝３０の側面である。この溝３０は、所定の幅を有する２つの円弧溝がＬＥＤ１の中心位置で連結するように構成されており、円弧溝が連結する部分での溝幅ｗｃ、即ちＡＡ線で示す方向における溝幅ｗｃがその他の部分の同方向における溝幅ｗよりも大きく形成されている。そして、２つの円弧溝の連結位置および各円弧溝の端部は鋭角に形成されている。また、ここでは出光面２ａ側に設けられた溝３０の深さと反出光面２ｂ側に設けられた溝３０の深さとを同一としているが、これは同一でなくてもよい。
なお、導光板２を入光面２ｃから反入光面２ｄの方向に見たとき、導入部２１の幅Ｈは入光面２ｃから溝３０の外端までの距離である。そして、この導入部２１の深さは導光板２の出光面２ａから反出光面２ｂまで、即ち導光板の厚さＴである。
【００１７】
実施の形態１の面光源装置１００ａの寸法は、各ＬＥＤ１間の距離Ｌが２０.０ｍｍ、入光面２ｃから溝３０の外端までの距離、即ち導入部２１の幅Ｈが３．９７ｍｍ、溝３０の幅ｗが０．５ｍｍ、溝３０の円弧溝が連結する部分の幅ｗｃが３．３ｍｍ、導光板の厚さＴが２．０ｍｍ、溝３０の深さｄが０．５ｍｍである。ここで、面光源装置１００ａの導入部２１の幅Ｈに対する各ＬＥＤ１間の距離Ｌの比率は５．０である。
【００１８】
次に、図３および４を用いて実施の形態１の面光源装置１００ａの動作を説明する。
図３および４において、矢印はＬＥＤ１より放射された光の軌跡を示している。なお、ＬＥＤ１の発光面に対し垂直方向を放射角度０°と定義する。
【００１９】
ＬＥＤ１から放射された光は、図３に示すように、入光面２ｃから導光板２の内部に入射する。そして、放射角度０°から６０°近くまでの光が光拡散面２２ａで全反射する。全反射した光は光拡散面２２ａの円弧面に沿ってさらに全反射を繰り返し、光拡散面２２ａの端部付近で入光面２ｃから導光板２の外部に取り出される。
【００２０】
導光板２の外部に取り出された光は反射板３によって反射され、再び入光面２ｃから導光板２内部に入射する。これにより、光拡散面２２ａの端部付近が疑似的に新たな光源となる。この結果、ＬＥＤ１から放射された光は、入光面２ｃと平行な方向に拡散され輝度ムラが抑制される。また、反射板３は拡散反射の特性を有するため、反射板３に反射された光はあらゆる放射角度を持って入光面２ｃから入射する。このためＬＥＤ１の指向性を十分に低減できる。また、光拡散面２２ａの各円弧面の直径を各点ＬＥＤ１間の距離の３分の１としたので、各ＬＥＤ１間に上記の新たな光源を等間隔で形成することができる。
【００２１】
一方、光拡散面２２ａに当たらない光は、図４に示すように、ＬＥＤ１からの放射光分布を保ったまま導光板２の中央部分を反入光面２ｄに向かって伝搬していく。このとき、溝３０の底面３０ａに照射された光は全反射するので、溝３０の円弧溝が連結する部分での溝幅ｗｃを調整することによって、反出光面２ｂに当たる光の量を変化させることができる。即ち、溝３０の光拡散面２２ａは光を拡散させる機能を持ち、溝３０の底面３０ａは、反出光面２ｂに当てる光の分布を調整するための遮光体としての機能を持つ。
【００２２】
ここで、比較例の面光源装置として、実施の形態１の面光源装置１００ａと反出光面２ｂ側の溝３０の溝幅のみが異なるものを示す。比較例の面光源装置は、図５に示すように、円弧溝が連結する部分の溝幅ｗｃとその他の部分の溝幅ｗとが同一である。この場合、図６に示すように、反出光面２ｂ側の溝３０の円弧溝が連結する部分での溝幅ｗｃが実施の形態１の面光源装置１００ａよりも狭いので、反出光面２ｂに照射される光の量は面光源装置１００ａよりも増加する。
【００２３】
次に、シミュレーションを実施したときの、実施の形態１に係る面光源装置１００ａおよび比較例の面光源装置における導光板２内部の相対輝度分布について説明する。図７において、横軸は導光板２における２つのＬＥＤ１間の中央からの位置を示し、縦軸は相対輝度を示す。図７（ａ）は、実施の形態１の面光源装置１００ａにおいて図４に示す入光面２ｃから５ｍｍの地点であるＣＣ線に沿った断面の反出光面２ｂから反射された光の相対輝度分布を示している。また、図７（ｂ）は、比較例の面光源装置において図６に示す入光面２ｃから５ｍｍの地点であるＦＦ線に沿った断面の反出光面２ｂから反射された光の相対輝度分布を示している。
【００２４】
図７（ａ）において、入光面２ｃから５ｍｍの位置における反出光面２ｂから反射される光、即ち出光面２ａから取り出される光は、各ＬＥＤ１間にも広がっていることがわかる。例えば、２つのＬＥＤ１間の中央である０ｍｍ付近での相対輝度は約０．２５であり、ＬＥＤ１の正面である１０ｍｍ付近での相対輝度は０．６５である。
【００２５】
一方、図７（ｂ）において、入光面２ｃから５ｍｍの位置における反出光面２ｂから反射される光、即ち出光面２ａから取り出される光は、図７（ａ）ほど各ＬＥＤ１間に広がっていないことがわかる。例えば、０ｍｍ付近の相対輝度は約０．２１であり、１０ｍｍ付近での相対輝度は０．７５である。
【００２６】
従来、出光面２ａから出射される光の相対輝度を調整するために、反出光面２ｂに形成する反射ドットの密度やドット半径を反出光面２ｂの場所によって変える手法が用いられている。本発明者らの実験によれば、導光板２の出光面２ａから取り出される光の分布において、２つのＬＥＤ１間の中央での相対輝度と、各ＬＥＤの正面での相対輝度との比が３以下であれば、上記の反射ドットの密度やドット半径を場所により変える必要はなく、拡散板４、縦プリズムシート５および横プリズムシート６の構成で輝度ムラを解消させることができることを確認している。したがって、比較例の面光源装置においては、反射ドットの密度やドット半径を場所により変えなければ輝度ムラを抑制することができず、実施の形態１の面光源装置１００ａであれば、反射ドットの密度やドット半径を場所により変えなくても輝度ムラを抑制することができる。このように、溝３０の円弧溝が連結する部分の溝幅ｗｃを調整することで、反射ドットの密度やドット半径を場所により変えて相対輝度の調整を行わなくても、輝度ムラを十分に抑制できる。
【００２７】
実施の形態１の面光源装置１００ａによれば、導光板２内の入光面２ｃ近傍に、出光面２ａに垂直な方向に形成され、かつ入光面２ｃ臨む凹面である２つの円弧面が、ＬＥＤ１の中心位置で連結した形状の光拡散面２２ａを設けたので、ＬＥＤ１から入射した光は拡散され輝度ムラが少なくなる。
【００２８】
また、入光面２ｃが平面という簡素な形状である導光板２を用いて輝度ムラを低減することができる。
【００２９】
また、反射板３を備えるとともに、光拡散面２２ａの各円弧面をそれぞれ半円弧状に形成したので、入光面２ｃから入射した光は、反射板３へ向かって全反射され、反射板３によって反射され再び入光面２ｃから導光板２内部に入射される。この結果、ＬＥＤ１から放出された光を入光面２ｃと平行な方向に拡散することができる。
【００３０】
また、出光面２ａおよび反出光面２ｂから所定の深さを有してそれぞれ設けられた溝３０の側面に光拡散面２２ａを形成したので、溝３０の円弧溝が連結する部分での溝幅ｗｃを調整することによって、反出光面２ｂに当たる光の量を変化させ、輝度ムラを抑制することができる。
【００３１】
なお、実施の形態１では、光拡散面２２ａの各円弧面の直径は各ＬＥＤ１間の距離の３分の１としたが、これに限らず、例えば各ＬＥＤ１間の距離の４分の１としてもよい。光拡散面２２ａの直径を小さくすることにより、導入部２１の幅Ｈを小さくすることができる。また、ＬＥＤ１の数は３個としたが、これに限定されない。
【００３２】
実施の形態２．
図８および図９は、実施の形態２に係る面光源装置を示すものであって、図８は導光板の光拡散面を拡大して示す上面図、図９は図８のＤＤ線に沿って示す断面図である。
実施の形態２の面光源装置は、図８に示すように、導光板２に複数の光拡散面を備えている点では実施の形態１と同様であるが、実施の形態１では隣り合う光拡散面２２ａは互いに離れて形成されているのに対し、実施の形態２の光拡散面２２ｂは、隣り合う光拡散面の端部同士を連結し切れ目なく繋げるようにして構成されている。そして、光拡散面２２ｂは、図９に示すように、入光面２ｃから遠ざかるように深さ方向へ傾斜している。この傾斜角度は、１０°以下が望ましい。また、光拡散面２２ｂの各円弧の直径は、実施の形態１と同様に各ＬＥＤ１間の距離の３分の１に形成されている。なお、その他の構成は実施の形態１と同様であるので説明を省略する。
【００３３】
次に実施の形態２の面光源装置の動作を説明する。
ＬＥＤ１から出射された光は、図３に示す実施の形態１と同様に、入光面２ｃから導光板２の内部に入射し、光拡散面２２ｂの円弧に沿って全反射され、入光面２ｃから導光板２の外部に取り出される。そして、導光板２の外部に取り出された光は、反射板３によって反射され、再び入光面２ｃから導光板２の内部に入射し、再び光拡散面２２ｂの円弧に沿って全反射され拡散される。即ち、光は光拡散面２２ｂの円弧面を渡り次いで強く拡散されていく。
【００３４】
また、図９に示すように光拡散面２２ｂに傾斜を設けているので、入光面２ｃから入射した光は導光板２の中央部に向かって反射される。これにより、図９の矢印に示すような出光面２ａとほぼ水平に放射されて光拡散面２２ｂに入射する光に対しても、導光板２の中央部に導くことができる。
【００３５】
実施の形態２によれば、複数の光拡散面を備え、隣り合う光拡散面の端部同士を連結するようにして光拡散面２２ｂを構成したので、実施の形態１の効果に加えて、より強く光が拡散され、輝度ムラをさらに抑制することができる。
【００３６】
また、光拡散面２２ｂを入光面２ｃから遠ざかるように深さ方向へ傾斜するようにしたので、導光板２の中央に向かって光を導き、反入光面２ｄに向かって光を伝搬させやすくすることができる。
【００３７】
実施の形態３．
図１０ないし図１２は、実施の形態３に係る面光源装置を示すものであって、図１０は導光板の出光面側の光拡散面を拡大して示す上面図、図１１は導光板の反出光面側の光拡散面を拡大して示す上面図、図１２は図１０および図１１のＥＥ線に沿って示す断面図である。
【００３８】
実施の形態３の面光源装置は、図１０および図１２に示すように、導光板２の導入部２１において出光面２ａ側に突出する突出部２０が設けられており、この突出部２０に実施の形態２で説明した光拡散面２２ｂが形成されている。また、反出光面２ｂ側には、図１１および図１２に示すように、反出光面２ｂから所定の深さを有して設けられた溝３０の側面に実施の形態２で説明した光拡散面２２ｂが形成されている。また、反出光面２ｂ側に設けられた溝３０の外端は平坦状に形成されている。その他の構成および動作は実施の形態２と同様であるのでその説明を省略する。
【００３９】
実施の形態３によれば、導光板２の導入部２１において出光面２ａ側に突出する突出部２０を設け、この突出部２０に光拡散面２２ｂを形成したので、実施の形態２と同様の効果が得られると共に、突出部２０の高さの分だけ導光板２の厚さを薄くすることができる。
【００４０】
なお、反射板３を突出部２０の光拡散面２２ｂに沿って折り曲げ、出光面２ａに重ねるようにしてもよい。このようにすることで、光拡散面２２ｂで全反射せずに導光板２の外部に取り出された光が出光面２ａから再び導光板２の内部に入射して輝度ムラが発生してしまうことを防止することができる。
【００４１】
実施の形態４．
図１３は、実施の形態４に係る面光源装置の導光板の光拡散面を拡大して示す上面図である。
実施の形態１では、半円弧状の円弧面２つをＬＥＤ１の中心で連結させるようにして構成した光拡散面２２ａを示したが、図１３に示すように、円弧の中心角θが９０°である円弧面２つをＬＥＤ１の中心で連結させるようにして光拡散面２２ｄを構成してもよい。その他の構成は実施の形態１と同様であるので説明を省略する。
【００４２】
次に実施の形態４の面光源装置の動作を説明する。
図１３において、矢印はＬＥＤ１から放射される光の軌跡を示しており、放射角度が大、中および小の３通りの光の軌跡Ｌ、ＭおよびＳを示している。入光面２ｃから導光板２内部に入射した光のうち放射角度が中および小の光は、光拡散面２２ｄで全反射されて導光板２内の方向へ伝搬していく。一方、導光板２の内部に入射した光のうち放射角度が大の光は、光拡散面２２ｄで全反射された後、入光面２ｃでさらに全反射され、導光板２内の方向へ伝搬していく。これらにより、ＬＥＤ１から放射された光は入光面２ｃと平行な方向に拡散される。
【００４３】
実施の形態４によれば、中心角θが９０°である円弧面２つをＬＥＤの中心で連結させるようにして光拡散面１００ｄを構成したので、入光面２ｃから導光板２に入射した光は、入光面２ｃの方向に全反射され、さらに入光面２ｃで導光板内２の方向に向かって全反射される。この結果、ＬＥＤ１から放射された光は入光面２ｃと平行な方向に拡散されるので、輝度ムラを低減することができる。
【００４４】
また、入光面２ｃが平面という簡素な形状である導光板２を用いて輝度ムラ低減することができる。
【００４５】
なお、光拡散面２２ｄの円弧面の中心角θは９０°に限らず、１２０°までであれば上記と同様の作用効果を得ることができる。
【００４６】
実施の形態５．
図１４は、実施の形態５に係る面光源装置の導光板の光拡散面を拡大して示す上面図である。
実施の形態５の面光源装置は、入光面２ｃに反射面２５ａが設けられていること以外は実施の形態４と同様である。この反射面２５ａは、出光面２ａに垂直な方向に形成され、光拡散面２２ｄから遠ざかるように反入光面２ｄの方向へ直線状に傾斜している。また、反射面２５ａは、入光面２ｃに設けられた断面が三角形の切り欠き２６の側面である。その他の構成は実施の形態４と同様であるのでその説明を省略する。このように構成することで、光拡散面２２ｄで全反射され、出光面２ｃで全反射された光が、さらに反射面２５ａで全反射されるので、実施の形態４の効果に加えて、より強く前方へ光を曲げる効果が得られる。また、反射面２５ａは直線状に傾斜しているという簡素な形状であるので、導光板２の入光面２ｃを複雑な形状にすることなく輝度ムラを低減することができる。
【００４７】
実施の形態６．
図１５は、実施の形態６に係る面光源装置の導光板の光拡散面を拡大して示す上面図である。
実施の形態５では、光拡散面２２ｄから遠ざかるように反入光面２ｄの方向へ直線状に傾斜した反射面２５ａを示したが、図１５に示すように、光拡散面２２ｄから遠ざかるように反入光面２ｄの方向へ曲面状に傾斜した反射面２５ｂとしてもよい。このように構成することで、光は反射面２５ｂの曲面に沿って全反射するので、実施の形態５の効果に加えて、さらに強く前方へ光を曲げる効果が得られる。また、反射面２５ｂは曲面という簡素な形状であるので、導光板２の入光面２ｃを複雑な形状にすることなく輝度ムラを低減することができる。
【００４８】
実施の形態７．
図１６は実施の形態７に係る面光源装置の導光板の光拡散面を拡大して示す上面図である。
実施の形態７の面光源装置の光拡散面２２ｇは、図１６に示すように、図１３に示す実施の形態４の光拡散面２２ｄの隣り合う光拡散面の端部同士を直線状に連結して切れ目なく繋げるようにして構成されている。また、この光拡散面２２ｇは入光面２ｃから遠ざかるように深さ方向へ傾斜して設けられている。この傾斜角度は１０°以下であることが望ましい。なお、その他の構成は実施の形態４と同様であるので説明を省略する。
【００４９】
実施の形態７によれば、隣り合う光拡散面の端部同士を直線状に連結して切れ目なく繋げるようにして光拡散面２２ｇを構成したので、入光面２ｃから入射した光は、光拡散面２２ｇと入光面２ｃとの間で全反射を繰り返す。これにより、実施の形態４の効果に加えて、より強く光が拡散され、さらに輝度ムラを抑制することができる。
【００５０】
また、光拡散面２２ｇを入光面２ｃから遠ざかるように深さ方向へ傾斜するようにしたので、光拡散面２２ｇ導光板２の中央に向かって光を導き、反入光面２ｄに向かって光を伝搬させやすくすることができる。
【００５１】
実施の形態８．
実施の形態８の面光源装置は、出光面２ａ側の光拡散面を図１３の実施の形態４に示した光拡散面２２ｄとし、反出光面２ｂ側の光拡散面を図１６の実施の形態７に示した光拡散面２２ｇとしたものである。光拡散面２２ｄは光が反入光面２２ｄに向かって比較的伝搬し易い構造であり、光拡散面２２ｇは溝３０の上面３０ａにより反出光面２ｂに当たる光の量の調整をし易い構造である。このように構成することで、光の利用効率が良く且つ輝度ムラを抑制することができる。
【００５２】
実施の形態９．
図１７は実施の形態９に係る液晶表示装置を示す斜視図である。
実施の形態９の液晶表示装置２００は、図１７に示すように、図１に示す実施の形態１の面光源装置１００ａと、面光源装置１００ａの横プリズムシート６に対向させて配置された液晶パネル１５０とを備えている。
【００５３】
実施の形態９によれば、実施の形態１に係る面光源装置１００ａを用いたので、輝度ムラの少ない液晶表示装置を得ることができる。
【００５４】
なお、ここでは実施の形態１の面光源装置１００ａを備えた液晶表示装置２００を示したが、これに代えて上記各実施の形態のいずれの面光源装置を用いても同様の作用効果を得ることができる。
【００５５】
また、上記各実施の形態は互いに組み合わせることができる。
【符号の説明】
【００５６】
１  ＬＥＤ
２  導光板
２ａ  出光面
２ｂ  反出光面
２ｃ  入光面
２ｄ  反入光面
３  反射板
２０  突出部
２１  導入部
２２ａ、２２ｂ、２２ｄ、２２ｇ  光拡散面
２５ａ、２５ｂ  反射面
２６  切り欠き
３０  溝
１００ａ  面光源装置
１５０  液晶パネル
２００  液晶表示装置
【図１】
0005375845.tif 000002
【図２】
0005375845.tif 000003
【図３】
0005375845.tif 000004
【図４】
0005375845.tif 000005
【図５】
0005375845.tif 000006
【図６】
0005375845.tif 000007
【図７】
0005375845.tif 000008
【図８】
0005375845.tif 000009
【図９】
0005375845.tif 000010
【図１０】
0005375845.tif 000011
【図１１】
0005375845.tif 000012
【図１２】
0005375845.tif 000013
【図１３】
0005375845.tif 000014
【図１４】
0005375845.tif 000015
【図１５】
0005375845.tif 000016
【図１６】
0005375845.tif 000017
【図１７】
0005375845.tif 000018